(57)【特許請求の範囲】
【請求項１】
免震装置のベースプレートを位置決めする治具であって、
前記ベースプレートの上を跨いで門型筐体で前記ベースプレートを吊持し、前記門型筐体の梁から前記ベースプレートを吊持する吊持ボルトによって上下のＺ方向と左右のＸ方向の調整が可能にされ、前記門型筐体における支柱の下部で前後のＹ方向の調整が可能であること、
を特徴とする免震ベースプレート取付治具。
【請求項２】
梁は、コ字型チャンネルバーを背中合わせに適宜間隙をおいて背向させてなり、前記間隙に吊持ボルトが上下方向に挿通され、該吊持ボルトの上部に調整ナットが螺合されていること、
を特徴とする請求項１に記載の免震ベースプレート取付治具。
【請求項３】
門型筐体は、一つのベースプレートに対して１対装備され、この一対の支柱においてＹ方向の調整が可能であること、
を特徴とする請求項１乃至２のいずれかに記載の免震ベースプレート取付治具。
【請求項４】
請求項１〜３のいずれか１項に記載の免震ベースプレート取付治具を使用して、免震ベースプレートを門型筐体で吊持しながら免震基礎のコンクリートを免震基礎用型枠内に打設し、その打設したコンクリートが硬化する前において前記免震ベースプレートの前後，左右，上下の３方向の位置調整をすること、を特徴とする免震ベースプレートの取付方法。
【発明の詳細な説明】
【技術分野】
【０００１】
本発明は、免震装置を建物の基礎に取り付ける際に、ベースプレートをコンクリート硬化まで位置調整可能にする免震ベースプレート取付治具と免震ベースプレートの取付方法に関するものである。
【背景技術】
【０００２】
従来、免震装置を建物に設置する場合、図５に示すように、建物の基礎上に耐圧スラブの配筋を施工し、ベースプレート用のアンカーを打ち込んでそのアンカーの高さを調整してベースプレート１４を取付け、その後、前記ベースプレート１４の周囲に図中の破線で示す型枠１５を組み込み、その型枠１５内に先行コンクリートをポンプ圧送装置で打設する。このようなベースプレート１４の免震基礎構築におけるコンクリート充填方法が特許文献１に記載されて公知となって知られている。
【先行技術文献】
【特許文献】
【０００３】
【特許文献１】特開２０１０−１２７０３５号公報
【発明の概要】
【発明が解決しようとする課題】
【０００４】
しかし、図５に示すように、従来の免震ベースプレート取付治具は、基礎スラブ１１に打ち込んだアンカー１２と鉄筋棒１３等とを溶接して固定し、この鉄筋棒１３とベースプレート１４のアンカー１４ａとを溶接して固定している。よって、ベースプレート１４のセット時は当該ベースプレートのレベル調整は容易であるが、溶接して固定完了した後のベースプレート１４のレベル調整は、Ｘ，Ｙ，Ｚ方向の３方向とも不可能である。コンクリート打設に伴うベースプレートの位置に変位があった場合に、前記ベースプレート１４を適宜に対応させることができないという課題がある。本発明に係る免震ベースプレート取付治具は、このような課題を解決するために提案されたものである。
【課題を解決するための手段】
【０００５】
本発明に係る免震ベースプレート取付治具の上記課題を解決して目的を達成するための要旨は、免震装置のベースプレートを位置決めする治具であって、前記ベースプレートの上を跨いで門型筐体で前記ベースプレートを吊持し、前記門型筐体の梁から前記ベースプレートを吊持する吊持ボルトによって上下のＺ方向と左右のＸ方向の調整が可能にされ、前記門型筐体における支柱の下部で前後のＹ方向の調整が可能であることである。
【０００６】
前記梁は、コ字型チャンネルバーを背中合わせに適宜間隙をおいて背向させてなり、前記間隙に吊持ボルトが上下方向に挿通され、該吊持ボルトの上部に調整ナットが螺合されていること、；
前記門型筐体は、一つのベースプレートに対して１対装備され、この一対の支柱においてＹ方向の調整が可能であること、；
を含むものである。
【０００７】
本発明に係る免震ベースプレートの取付方法の上記課題を解決して目的を達成するための要旨は、前記本発明に係る免震ベースプレート取付治具を使用して、免震ベースプレートを門型筐体で吊持しながら免震基礎のコンクリートを免震基礎用型枠内に打設し、その打設したコンクリートが硬化する前において前記免震ベースプレートの前後，左右，上下の３方向の位置調整をすることである。
【発明の効果】
【０００８】
本発明の免震ベースプレート取付治具によれば、ベースプレートの下にコンクリートを打設した後で該コンクリートの硬化する前であれば、容易に左右（Ｘ），前後（Ｙ），上下（Ｚ）の３方向にベースプレートの位置を微調整させることができると言う優れた効果を奏するものである。
前記取付治具を形成するときに、コ字型チャンネルバーを背中合わせに適宜間隙をおいて背向させることで、吊持ボルトによる前後、上下の２方向の位置調整が容易にできるようになる。１対の門型筐体により、治具を容易に形成することができる。
【０００９】
本発明に係る取付方法によれば、前記免震ベースプレート取付治具により、打設したコンクリートが硬化する前において前記免震ベースプレートの前後，左右，上下の３方向の位置調整が可能となる。
【図面の簡単な説明】
【００１０】
【図１】本発明に係る免震ベースプレート取付治具１を基礎スラブ１１上に設置した状態の正面図である。
【図２】同本発明の免震ベースプレート取付治具１を、図１におけるＡ−Ａ線視した平面図である。
【図３】同本発明の免震ベースプレート取付治具１における支柱３の正面図（Ａ）とＢ−Ｂ線に沿った断面図（Ｂ）とである。
【図４】本発明の免震ベースプレート取付治具１によるベースプレート１４の設置工程を順に示す説明図（Ａ），（Ｂ），（Ｃ）である。
【図５】同従来例に係るベースプレート取付治具による、ベースプレート１４を基礎スラブ１１上に設置し固定した状態の正面図である。
【発明を実施するための形態】
【００１１】
本発明に係る免震ベースプレート取付治具１は、図１に示すように、門型筐体４を形成してベースプレート１４を上から吊持するようにしたものである。
【実施例１】
【００１２】
本発明に係る免震ベースプレート取付治具１は、図１に示すように、免震装置のベースプレート１４を位置決めする治具であって、前記ベースプレート１４の上を跨いで門型筐体４で前記ベースプレート１４を吊持し、前記門型筐体４を構成する梁２から前記ベースプレート１４を吊持する吊持ボルト５によって上下のＺ方向と左右のＸ方向の調整が可能にされ、前記門型筐体４を構成する両側の支柱３のそれぞれの下部で前後のＹ方向の調整が可能である。
【００１３】
前記門型筐体４における梁２は、鋼製コ字型チャンネルバー２ａ，２ａを背中合わせに適宜間隙６をおいて背向させてなり、該コ字型チャンネルバー２ａの長手方向の端部で連結ブラケット７によって固定されている。なお、梁２の断面形状は、上記コ字型に限らず、Ｌ字型等でもよい。
【００１４】
図１乃至図２に示すように、前記間隙６に、全ネジタイプの吊持ボルト５が上下方向に挿通され、該吊持ボルト５の上部に調整ナット８と、下側に定着ナット９とが螺合されている。ナット１０は、ベースプレート１４に吊持ボルト５を螺着させた後の固定ナットである。この吊持ボルト５は、前記調整ナット８で上下方向の調整を行い、定着ナット９でその位置に定着させるものである。なお、Ｘ方向の位置は、予め間隙６の間を前記吊持ボルト５をベースプレート１４とともに移動させるものである。
【００１５】
前記門型筐体４は、一つのベースプレート１４に対して１対装備され、この一対の支柱３においてＹ方向の調整が可能である。この支柱３は、図３（Ａ），（Ｂ）に示すように、断面コ字型の鋼製チャンネルバーであり、前記梁２とは前記連結ブラケット７の基部７ａを介してプレート１６によってボルト２１及びナット２１ａで固定され、下部は、プレート１７が設けられ、基礎スラブ１１に打ち込まれたアンカー１８ａにネジ止めされるボルト１８によって位置固定される。
【００１６】
前記プレート１７の中央部には、図３（Ｂ），（Ｃ）に示すように、ネジ孔１７ｂが設けられ、このネジ孔１７ｂにレベル調整ボルト１９が貫通して螺着される。レベル調整ボルト１９と定着ナット１９ａで高さ（Ｚ方向）が調整される。このレベル調整ボルト１９の下に、ボルトが基礎スラブ１１にめり込まないように調整用プレート２０が敷設してある。また、Ｙ方向の位置調整には、前記プレート１７におけるボルト１８挿通用の長孔１７ａがＹ方向に長孔となっていて、Ｙ方向へ調整できるようになっている。
【実施例２】
【００１７】
本発明に係る免震ベースプレート取付治具１は、１対の門型筐体４，４を使用するので、これらを長手方向の端部位置で鋼製バーで溶接・固定して一体に連結して、井桁状に構成しても良い。
【００１８】
本発明に係る免震ベースプレート取付治具１の使用方法は、図１に示すように、木製等の介い物１５ａの上にベースプレート１４を載置し、図１及び図２に示すように、アンカー１８ａを基礎スラブ１１へ所定の位置に打ち込む。門型筐体４，４を前記ベースプレート１４に跨らせて、ボルト１８をプレート１７の長孔１７ａに挿通させて前記アンカー１８ａにねじ込み取り付けることで、当該門型筐体４，４を起立させる。
【００１９】
そして、前記門型筐体４における間隙６に吊持ボルト１５を挿通させる。この吊持ボルト５には、予めナット９，１０を装着しておく。前記吊持ボルト５の下端部をベースプレート１４のアンカー１４ａにおけるメネジ部１４ｂに螺着する。
【００２０】
前記ナット１０をベースプレート１４に向かって締め込む。前記吊持ボルト５の上部に調整ナット８を装着させて、ベースプレート１４の左右（Ｘ方向）の位置を合わせるとともに、前記調整ナット８でベースプレート１４の下面の位置を免震基礎上端の位置に合わせる。前記ナット９を梁２に向かって締め込む。こうして、ベースプレート１４の位置決めがなされた後に、前記介い物１５ａを撤去する。
【００２１】
前記門型筐体４の支柱３におけるレベル調整ボルト１９をネジ孔１７ｂに装着して締め込み、その先端が調整用プレート２０上面に当たったところで、定着ナット１９ａを締め込んで定着させ、更に、ボルト１８を締め込んで、ベースプレート１４の上下方向（Ｚ）の位置決めをする。また、前後方向（Ｙ）の位置調整を、図３（Ｂ），（Ｃ）に示すように、長孔１７ａによって門型筐体４を移動させて前記ボルト１８を締め込んで行う。
【００２２】
こうして、図４（Ａ）に示すように、ベースプレート１４がＸ，Ｙ，Ｚ方向にそれぞれ位置決めされ、且つ、門型筐体４，４によって宙に浮いた状態で吊持される。その後、免震基礎部の配筋を完了させてその周囲を型枠１５で囲う。そして、図４（Ｂ），（Ｃ）に示す手順でコンクリートを打設する。前記打設するコンクリートに気泡などが混入しないようにホッパー１６ａを使用してコンクリートを打設する場合には、図２に示すベースプレート１４の中央の打設孔１４ｂから流し込んで、オーバーフローさせるものである。
【００２３】
そして、前記型枠１５内に打設したコンクリートがまだ硬化しないうちに、ベースプレート位置の計測を行い、前記ベースプレート１４の位置調整が必要になった場合には、前記調整ナット８とレベル調整ボルト１９と、ボルト１８とで、左右（Ｘ），前後（Ｙ），上下（Ｚ）方向の位置調整を行う。
【００２４】
左右（Ｘ）方向の調整は、ナット９を弛めて行い、前後（Ｙ）方向には、ボルト１８を弛めて行う。上下（Ｚ）方向には、吊持ボルト５と調整ナット８及び定着ナット９とで行う場合と、レベル調整ボルト１９及び定着ナット１９ａで行う場合との２通りがある。適宜にいずれか一方若しくは両方を調整して行う。このように、免震基礎用のコンクリートを打設した後でも、当該コンクリートの硬化前であれば、ベースプレート１４の位置調整ができるようになったものである。  
【産業上の利用可能性】
【００２５】
本発明に係る免震ベースプレート取付治具１は、適宜大きさの吊持用治具として広く適用することができる。
【符号の説明】
【００２６】
１          免震ベースプレート取付治具、
２          梁、
２ａ        コ字型チャンネルバー、
３          支柱、
４          門型筐体、
５          吊持ボルト、  
６          間隙、
７          連結ブラケット、      ７ａ          基部、
８          調整ナット、      
９          定着ナット、
１０        ナット、
１１        基礎スラブ、
１２        アンカー、
１３        鉄筋棒、
１４        ベースプレート、
１４ａ      アンカー、            １４ｂ        メネジ部、
１５        型枠、                １５ａ        介い物、
１６        プレート、            １６ａ        ホッパー、
１７        プレート、            １７ａ        長孔  
１８        ボルト、              １８ａ        アンカー、    
１９        レベル調整ボルト、    １９ａ        定着ナット、
２０        調整用プレート、
２１        ボルト、              ２１ａ        ナット。
【図１】
0005706182.tif 000002
【図２】
0005706182.tif 000003
【図３】
0005706182.tif 000004
【図４】
0005706182.tif 000005
【図５】
0005706182.tif 000006